(57)【要約】【課題】  本発明は、スキー場や冬山などの寒冷地で使用に耐え、規格化された携帯用小型機器等に限定されることなく、効果的にバッテリーを保温することが可能な汎用性のある携帯用電子機器用のバッテリーパック及びその保持具を提供する。【解決手段】  上記の課題を解決するために、本発明によれば、バッテリーパック及びその保持具を構成するにあたり、携帯用電子機器に所定の長さの給電線を介し接続される外付け用のバッテリーを人体の所定の部位に直接取り付け可能にしたバッテリーパック及びその保持具であって、前記バッテリーパック及びその保持具は人体から伝わる体温を効果的にバッテリーへ伝えるように伝熱性が良好で柔軟な材質から構成される。【選択図】図３
2007115462.tif 000002
【特許請求の範囲】
【請求項１】
携帯用電子機器に所定の長さの給電線を介して接続され、人体に伝熱的に取り付け可能に形成されたバッテリーパック。
【請求項２】
前記バッテリーパックは人体の所定の部位に巻き付け可能な帯体に取り付け可能にされたことを特徴とする請求項１に記載のバッテリーパック。
【請求項３】
前記バッテリーパックを収納するポケットを有し、このポケットに収納されたバッテリーパックに体温が伝わるように人体の所定の部位に巻き付け可能に形成されたことを特徴とするバテッリーパック保持具。
【請求項４】
携帯用電子機器に所定の長さの給電線を介して接続され、かつ吊り提げ可能に構成されていることを特徴とする請求項１に記載のバッテリーパック。
【請求項５】
首から吊り提げ可能に形成され、かつ外部機器に給電可能に構成されたバッテリーパック。
【発明の詳細な説明】
【技術分野】
【０００１】
本発明は、携帯用電子機器に接続されるバッテリーパックに関する。
【背景技術】
【０００２】
近年、携帯用電子機器の開発が盛んに行なわれ、とくに携帯用電子機器に代表される携帯電話や携帯用ＧＰＳ（全地球測位システム）などバッテリー内蔵型携帯用電子機器の利用環境の拡大は著しい。
【０００３】
しかしながら、このような携帯用電子機器をスキー場や冬山などの寒冷地にて使用する場合には、これら電子機器は直接氷点下の冷気に曝されることが多いため、機器に内蔵されているバッテリーはその冷気の影響を受けて低温化し、寿命が短くなったり、正常な発電ができなくなる場合が多い。
【０００４】
そこで、当該機器のバッテリーの表面に酸化反応により発熱するインスタントカイロ等を貼付けるなどして、バッテリーを加熱しバッテリーの低温化を防止する方法などが試みられている。しかし、この方法では、インスタントカイロ自体が外気（冷気）に曝されているため、外気への放熱も早く加熱率が非常に悪い。また、インスタントカイロの特性として、貼付けた部分だけが高温となり、貼付けられていない部分については依然低温状態であるため、機器に極端な温度差による機能不全が生じるおそれがある。
【０００５】
これらを解決する方法として特許文献１に示すように、バッテリーの外周を断熱性のカバーで覆って、バッテリーが外気に曝されるのを防止し、バッテリーの温度低下を防止する方法がある。
【０００６】
しかしこの方法は、規格化されたバッテリー内蔵型の電子機器などに用途が限定される。
【特許文献１】特開平５−２０８６１公報
【発明の開示】
【発明が解決しようとする課題】
【０００７】
本発明は、スキー場や冬山などの寒冷地における使用に耐え、規格化された携帯用電子機器に限定されることなく、効果的にバッテリーを保温することが可能な汎用性のある携帯用電子機器用のバッテリーパック及びその保持具を提供することを課題とするものである。
【課題を解決するための手段】
【０００８】
上記の課題を解決するために、本発明によれば、バッテリーパック及びその保持具を構成するにあたり、携帯用電子機器に所定の長さの給電線を介し接続されるバッテリーを人体の所定の部位、例えば腕部などに直接取り付け可能に形成する。
【０００９】
バッテリーパックに体温を効果的にバッテリーへ伝えるように、バッテリーパック及びその保持具の外装は伝熱性が良好で柔軟な材質から構成されるのが良い。
【００１０】
また、バッテリーパックを人体の所定の部位に取り付け可能にする手段として、バッテリーパックをペンダント形に構成して、これを首から提げるようにしてバッテリーパックを胸腹部に密接させるようにしても良い。
【発明の効果】
【００１１】
本発明のバッテリーパック及びその保持具を防寒服で覆われた腕や場合によっては胸腹部などの人体の所定の部位に直接取り付けることで、バッテリーを寒冷地などの低温環境における外気から保護して正常に機能させ続けることができ、低温のためバッテリーが使用不能になったり、寿命が縮まったりすることが少なくなるという効果がある。
【発明を実施するための最良の形態】
【００１２】
以下に、本発明の上記および他の目的、特徴および利点を明確にすべく、添付した図面を参照しながら、本発明の実施の形態につき詳細に説明する。
【実施例】
【００１３】
本実施例のバッテリーパック１は、図１に示すように、人体の所定の部位に巻き付け可能なように帯体１ａから主として構成される。前記帯体１ａの一方の面の側辺部近傍には人体に巻き付けた帯体１ａを固定するための面ファスナー２が取り付けられ、その同一面上の帯体中央近傍にはバッテリー４が収納できるポケット部３が縫い付けられている。
【００１４】
また、前記ポケット部３の開口部内側上部には他の面ファスナー２ａが取り付けられている。これらの面ファスナーは帯体１ａと共に公知の強固な結合機能を発揮する。ポケット部２の開口部内側上部に面ファスナー２ａを取り付けることでバッテリー４を収納したポケット部３はその開口部を閉じることができ、バッテリー４の落下を防止することができる（図２、図３参照）。
【００１５】
なお、図１に示した帯体１ａに縫い付けられているポケット部３の位置は、本実施例では帯体１の中央近傍としたが、この位置に限定されるわけではない。
【００１６】
また、本実施例ではバッテリー４の落下防止対策として、ポケット部３の開口部内側に面ファスナー２ａを取り付けたが、ポケット部３の開口部を閉じる方法としては、図示しないがボタンやホックなどを使用してもよい。
【００１７】
帯体１ａの材質は蒸れにくいメッシュ構造（図示せず）をした布材を用いるのが良い。またポケット部３は、帯体１ａと同様布材を用いてもよいが、人体に接触する面については、伝熱性が優れ、皮膚に優しい柔軟性のあるウレタン素材やシリコン素材を用い、他方、帯体１ａに取り付けられ外気にさらされやすい反対面には、人体から伝わる体温によって温められたバッテリー４の保温を維持するために、断熱性を有するポリエステル、アクリル、レーヨンまたは綿などの材質を用いて形成することが好ましい。
【００１８】
本実施例のバッテリーパック１の使用方法としては、図１、図２及び図３に示されるように帯体１ａ中央部に設けられているポケット部３にバッテリー４を収納し面ファスナー２ａによってその開口部を閉じる。ここで、バッテリー４から伸びる給電線５は携帯用電子機器Ｅに接続可能なようにポケット部３外に予め引き出しておくのがよい。なお、給電線５の長さは、人体に取り付けられるバッテリーパック１から身体外（または手）にて保持する携帯用電子機器Ｅまでの長さが必要となる。また、給電線５の一端はバッテリー４に接続し、他端は図示しないが汎用のコネクターを介して携帯用電子機器Ｅに接続される。
【００１９】
次にバッテリーパック１の身体への装着方法について説明する。上記にて説明したバッテリー４を収納したポケット部３を直接人体皮膚に触れるように腹部や上腕部に帯体１ａを巻き付けした後、面ファスナ２にて固定する（図４、図５参照）。
【００２０】
このようにバッテリーパック１を装着することで人体から伝わる体温をポケット部３の面壁を介して効果的にバッテリー４に伝熱、保温することができるため、寒冷地などの低温環境においてもバッテリー４を正常に機能させることが可能となる。
【００２１】
なお、図４及び図５では、バッテリーパック１の人体各部位への巻き付け場所として、腹部や上腕部を例にとって示したが、巻き付け場所はこれに限定されるものではない。
【００２２】
また、図示しないが、ペンダント形として首から胸腹部に吊り提げるようにする場合には、バッテリーパックの周囲に適宜緩衝材を取り付けたり、吊り提げ用の紐を給電線と兼用にしたりするなど種々変形例が考えられる。
【図面の簡単な説明】
【００２３】
【図１】は、本発明の一実施例の展開図である。
【図２】は、図１のＳ−Ｓ線断面図である。
【図３】は、図１の組立斜視図である。
【図４】は、本発明の一実施例のバッテリーパック１を、腹部に装着した状態の一例を示したものである。
【図５】は、本発明の一実施例のバッテリーパック１を、上腕部に装着した状態の一例を示したものである。
【符号の説明】
【００２４】
１            バッテリーパック
１ａ          帯体
２、２ａ      面ファスナ
３            ポケット部
４            バッテリー
５            給電線
Ｅ            携帯用電子機器
【図１】
2007115462.tif 000003
【図２】
2007115462.tif 000004
【図３】
2007115462.tif 000005
【図４】
2007115462.tif 000006
【図５】
2007115462.tif 000007